(57)【要約】【課題】  ロックリングを使用せずに、外装体と本体との係脱を的確容易に行なえて日付変更時などの必要時に回転子を回転可能に露呈できる部品点数の少ない回転印を提供する。【解決手段】  中継部材７を上面に設けた枠体１の中間部に軸３により軸支させてある回転子２と枠体下部に設けた支持片４との間に無端印字ベルト５を張設した回転式の印字体６を底部にマスター印１２が装着された本体１０に組み込んだ回転印において、印字体６の下部を昇降動および回動可能に収納する本体１０の上部に印字体６の枠体１と外装体１３との間に介在できる一対のガイド片１４を上向きに連設し、このガイド片１４に下端をストッパ用の横溝部１５Ａとして設けた上下方向のガイド溝１５に外装体１３の誘導突起１７を介入させるとともに、固定枠９に設けた固定突起２３を前記ガイド溝１５の上端に続き設けた固定突起ガイド用の孔１６に上下動自在に介入させた。【選択図】    図１
2005297574.tif 000002
【特許請求の範囲】
【請求項１】
上面に雄ねじ付の中継部材(7) を立設した枠体(1) の中間部に軸(3) により軸支させた複数個の回転子(2) と枠体下部に設けた支持片(4) との間にそれぞれ無端印字ベルト(5) を張設した回転式の印字体(6) と、この印字体(6) の下部を収納する筒状部の底に前記した無端印字ベルト(5) の下端の印字面を露呈させる窓(29)を備えたマスター印(12)を装着した本体(10)と、枠体(1) の上部に置かれて前記中継部材(7) に螺合させた調整部材(8) により印字体(6) の上部に締付けられる固定枠(9) と、印字体(6) の上部を外部から覆う筒状の外装体（11）とを備えた回転印であって、前記した本体(10)は、印字体(6) の下部が昇降動および回動可能な筒状部の上端対向位置から一対のガイド片(14)、(14)を上向きに連設して各ガイド片(14)に、縦溝部(15B) の下端にストッパ用の横溝部(15A) を屈曲形成した上下方向のガイド溝(15)と、その上端に続く固定突起ガイド用の孔(16)とを設けたもので、このガイド片(14)、(14)を印字体(6) の枠体(1) と外装体（11）との間に介在させてあり、また、外装体（11）に前記ガイド溝(15)に介入される誘導突起（17）を設ける一方、固定枠(9) には前記孔（16）に上下動自在に介入される固定突起（23）を設けて、捺印可能な正常時には前記誘導突起（17）をガイド溝(15)の横溝部(15A) 内に位置させるとともに前記固定突起（23）を前記孔（16）の下端に位置させてあることを特徴とする回転印。
【請求項２】
無端印字ベルト(5) の下端の印字面とマスタ−印（12）の印字面に当接されてこれら印字面にインキを供給するインキパッド（24）を内底面に備えたキャップ（23）が本体(10)の下端に嵌合されている請求項１に記載の回転印。
【発明の詳細な説明】
【技術分野】
【０００１】
本発明は、複数個の無端印字ベルトを備えた回転式の印字体と、下端にマスター印を有する本体とを組み合わせた日付印等の回転印に関するものである。
【背景技術】
【０００２】
この種の発明は、従来より実公昭５９−３８９９号（以下（イ）とする。）実公平３−５６３７２号（以下（ハ）とする。）、実公平２−２５６４８号（以下（ロ）とする。）がある。
（イ）は、軸１５と外套１７に設けた案内孔１６によって上下摺動誘導され、回転子２を把持用頭部７と外套体１７を開放して露呈するものであり、外套体１７と把持用頭部７との係合は、外套体１７の上部に設けられた爪１８によって行なわれるものであって、本発明とは構成を異にしていることは明白である。
（ロ）は、本発明と同様回転ダイヤル印に関するものであり、化粧ケース３と主ケース２を開放して、回転ダイヤル（回転子）９を露呈するには、（イ）と同様化粧ケース３と主ケース２を上下方向に引けばよい。また、逆に係合させるには、明細書中にもある様に、係合溝４６と抜き止め突起４７を設けて係合させている。従って、（ロ）も本発明とは構成を異にしているのは明白である。
（ハ）は、同様回転ダイヤル印であり、把持筒３と主ケース２の係脱は、ロックリング４１により係脱させるものであり確実に係合出来る。しかし、ロックリング４１を使用することで、部品点数も多くなり、コスト高となり、更には、ロックリング４１を確実に片手で回転させないと係脱出来ないといった不便性がある。なぜなら、ロックリング４１を大きくすることは不可能で、これを大きくすると回転子の露呈と操作がしずらい。
【特許文献１】実公昭５９−３８９９号公報
【特許文献２】実公平３−５６３７２号公報
【特許文献３】実公平２−２５６４８号公報
【発明の開示】
【発明が解決しようとする課題】
【０００３】
以上の様な従来品であるので、捺印動作中は印判を片手で握っており、日付等を変更する場合、ロックリングを確実に片手で握り、把持筒３と主ケース２の下部をにぎらなくてはならず、回転子を露呈させるには、ロックリングが小さいほうが望ましいが、小さければ握りづらく操作しにくいものとなっている。従って、ロックリングを使用せず、しかも、外装体と本体を的確容易に係脱させることができて、日付変更時などの必要時に回転子を回転可能に露呈させることができ、また、こうすることによって部品点数を少なく、コストダウンができる回転印を提供することを目的とする。
【課題を解決するための手段】
【０００４】
前記のような課題を解決した本発明の回転印は、上面に雄ねじ付の中継部材を立設した枠体の中間部に軸により軸支させた複数個の回転子と枠体下部に設けた支持片との間にそれぞれ無端印字ベルトを張設した回転式の印字体と、この印字体の下部を収納する筒状部の底部に前記した無端印字ベルトの下端の印字部を露呈できるマスター印を装着した本体と、枠体の上部に置かれて前記中継部材に螺合させた調整部材により印字体の上部に締付けられる固定枠と、印字体の上部を外部から覆う筒状の外装体とを備えた回転印であって、前記した本体は、印字体の下部が昇降動および回動可能な筒状部の上端対向位置から一対のガイド片を上向きに連設して各ガイド片に、上下方向に延びる縦溝部の下端にストッパ用の横溝部を屈曲形成したガイド溝と、その上端に続く固定突起ガイド用の孔とを設けたもので、このガイド片を印字体の枠体と外装体との間に介在させてあり、また、外装体には前記ガイド溝に介入される誘導突起を設ける一方、固定枠に前記孔（に上下動自在に介入される固定突起を設けて、捺印可能な正常時には前記誘導突起をガイド溝の横溝部内に位置させるとともに前記固定突起を前記孔の下端に位置させてあることを特徴とする。また、無端印字ベルトの下端の印字面とマスタ−印の印字面に当接されてこれら印字面にインキを供給するインキパッドを内底面に備えたキャップを本体の下端に嵌合してあるものを請求項２の発明とする。
【発明の効果】
【０００５】
このような回転印は、不使用時にはキャップの底面に設けられたインキパッドからマスター印と無端印字ベルトにインキを供給しているので印字面は捺印可能な状態とされている。また、本発明の回転印を使用するときは、前記キヤップを下方に引っ張ることによりキャップを本体から外して本体の下方部を露呈すれば、マスター印の印字面とこのマスタ−印に設けられた窓にある無端印字ベルトの最下端の印字面があらわれ、この状態で捺印物に対して押圧捺印可能である。更に、日付等を変更しようとするならば、外装体と本体をもって外装体の下方内壁面に設けられて本体より上向きに設けられたガイド片のガイド溝の下端の横溝部にある誘導突起がこのガイド溝の下端に位置するまで回転させ、これにより常時は円周方向の横溝部内にあって外装体の昇降動を阻止している誘導突起が縦溝部にガイドされながら上昇可能となる。そこで、この状態で外装体を縦方向に引っ張れば回転子が露呈する。しかし、この状態ではガイド溝の縦溝部の上端に続く固定突起ガイド用の孔には固定枠に設けた固定突起が介入されていて無端印字ベルトの下端面とマスター印の下面が同一位置になっているいるので、露呈された回転子を回転させることができない。
【０００６】
そこで、更に外装体を上方に引き上げると、固定枠に設けられた固定突部が誘導突起に当接されてこれを上方に引き上げて孔の上端に当接するまで移動し、この状態ではじめて外装体は最上部に達して最開口状態とされ、この時、印字体全体が上方につり上げることになり、マスター印の窓より無端印字ベルトの下端面がマスター印の窓より上方に位置し、回転子が回転可能な状態となる。そこで、この状態から回転子を回転させて日付などを変更し、変更し終わると上記とは逆に作動させ、再び捺印可能な状態に戻す。その後は本体の下端にキャップを嵌めてその内底に設けられたインキパッドに印字面を当接させてインキを転写塗布し捺印可能としておく。
【０００７】
本発明は、回転式の印字体の下部を昇降動および回動可能に収納している本体の筒状部上端に印字体の枠体と外装体との間に介在させる一対のガイド片を上向きに連設し、このガイド片に設けた下端をストッパ用の横溝部とした上下方向のガイド溝に外装体の誘導突起を介入させるとともに、前記したガイド溝の縦溝部の上端に続いて設けた固定突起ガイド用の孔に、固定枠に設けた固定突起を上下動自在に介入させておくことにより、ロックリングを使用することなく、必要時にのみ外装体と本体とを係脱させて回転子を露呈させ、 日付などの変更を簡単に行なうことができるうえに、こうすることによって部品点数、コストダウンを可能とする。
【発明を実施するための最良の形態】
【０００８】
本発明の実施形態を図１、図２、図３、図４、図５より詳細に説明する。
１はコ字状の枠体であり、その上部には中継部材７が固定されており、また、中間部には軸３を支持する支持溝２５を設け、下部には支持片４を保持する切欠２６を設けてある。２は回転子であり、この回転子２には、回転子２と同数の無端印字ベルト５の上部を掛けてこの回転子２を軸３により回転可能に軸支させ、両側の回転子２Ａ、２Ｂは枠体１の支持溝２５に狭着支持させている。４は支持片であり、枠体１のコ字状の両端に設けられた切欠２６に当接支持され、回転子２との間で無端印字ベルト５を張設している。そして、前記した枠体１、軸３、回転子２、支持片４及び無端印字ベルト５により回転式の印字体６を構成していることは従来のこの種の回転印における回転式の印字体と変わることはない。また、９は枠体１の上部に置かれて前記した中継部材７に螺合させた調整部材８により印字体６の上部に締付けられる固定枠であり、この固定枠９は筒状体の天面に中継部材７を挿通させる孔を設けたものとしている。そして、調整部８を回動させるとこれが螺合されている中継部材７との係合量をもって印字体６を上下動して無端印字ベルト５の最下位置の高さを調整している。これにより、マスター印１２と無端印字ベルト５の印面位置を同一高さに調整できる。また、固定枠９の外周面には一対の固定突部２３が相対する位置に張設されている。また、前記固定枠９の開口端には印字体６の枠体１の上部を挿入し揺動自在にしている。
【０００９】
１０は底部にマスター印１２を装着した本体である。この本体１０は、印字体６の下部を昇降動および回動可能に収納する筒状部の上端対向位置から一対のガイド片１４、１４を上向きに連設したものであって、この筒状部の底部に前記した無端印字ベルト５の下端の印字面を露呈させる窓２９を備えた周知のマスター印１２を装着してあり、また、前記した各ガイド片１４には縦方向（軸線と平行方向）に延びる縦溝部１５Ｂの下端にストッパ用の横溝部１５Ａを屈曲形成した上下方向のガイド溝１５が外面に形成されるとともに、この縦溝部１５Ｂの延長上に続かせてガイド溝１５の上端に固定突起ガイド用の孔１６が設けられ、このガイド片１４、１４は印字体６の枠体１と外装体１１との間に介在させてある。なお、この孔１６には下方辺１６Ａと上方辺１６Ｂが設けられている。また、前記した本体１０の下方部には前記したマスター印１２を有するマスター印枠２１が着脱自在に係合される係合部２８が設けられ、さらにまた、本体１０の筒状部内には前記した印字体６の下方部が挿入されており、更に、筒状部の外周所要個所にはキャップ１３を着脱自在に係合する突部を設けている。１１は筒状の外装体であり、その上方開口端には調整部キャップ２７を設けてあり、下方開口端には相対する位置に前記した本体１０のガイド片１４の外面に形成されているガイド溝１５に当接誘導される一対の誘導突起１７を設けてあり、この外装体１１はガイド溝１５に誘導突起１７を介入させた状態として常時は印字体６の上部を覆っており、このとき前記した固定突部２３は孔１６に介入されてその上方辺１６Ｂと下方辺１６Ａの間を移動できるものとされている。
【００１０】
１３は有底筒状のキャップであり、その内底にはインキを含浸したインキパッド２４を設けており、本体１０の外周面に設けられた係合する突部によりキャップ１３は本体１０の下端に凹凸嵌合されている着脱自在とされている。なお、前記したインキパッド２４は弾発部材により弾発支持されていてもよい。そして、このインキパッド２４は、マスター印１２と無端印字ベルト５の最下端を常時は当接しておりインキを転写している。
【００１１】
次に、本発明の回転印を使用する場合を説明すると、不使用時にはキャップ１３の底面に設けられたインキパッド２４が常にマスタ−印１２と無端印字ベルト５に当接されてインキを供給しているが、回転印を使用するには、キヤップ１３を下方に引っ張ることによってキャップ１３を本体１０から外して本体１０の下方部を露呈することによりマスタ−印１２の印字面とこのマスタ−印１２に設けられた窓２９内にある最下端の無端印字ベルト５を露呈させ、この状態で捺印物に対して押圧して捺印する。そして、日付等を変更しようとするならば、外装体１１と本体１０をもって回転させて外装体１１の下方の内壁面に設けられて本体１０の上部に設けられたガイド片１４の円周方向の横溝部１５Ａ内にある誘導突起１７がガイド片１４の縦溝部１５Ｂの下端に位置するまで回転させる。
【００１２】
更に、この状態で外装体１１を縦方向に引き上げると、誘導突起１７は縦溝部１５Ｂに誘導されて回転子２が露呈される位置まで上方に移動させる。しかし、この状態ではガイド溝１５の縦溝部１５Ｂの上端に続く固定突起ガイド用の孔１６には固定枠９に設けた固定突起２３が介入されていて、無端印字ベルト５の下端面とマスター印１２の下面が同一位置になっているので、未だ露呈された回転子２を回転させることはできないから、更に、外装体１１の上方への引き上げ操作を続けると、固定枠９の外周面に設けられた固定突部２３が誘導突起１７に当接されて上方に引き上げられ、孔１６の上方辺１６Ｂに当接するまで移動し、この時、印字体６全体を上方につり上げることになって、無端印字ベルト５はその下端面がマスター印枠２１の窓２２より上方に達する位置まで上昇し、前記したマスター印１２の窓２９より上方に位置されるから、回転子２の回転が可能となる。そこで、所要の回転子２を回転させれば日付などを変更することができる。そして、この変更をし終わると上記とは逆に作動させれば、再び捺印可能な状態にもどる。更にまた、無端印字ベルト５の最下端印面位置とマスター印１２の印面位置とが同一になるように調整する必要があるときは、調整部キャップ２７と外装体１１の上部とのクリック嵌合を解除すると、調整部８が露呈されるから、これを回転させると中継部材７と螺子係合しているので係合量の多少で印字体６が上下に移動して所期の調整を行なうことができる。その後はキャップ１３の内底に設けられたインキパッド２４にマスター印１２と無端印字ベルト５の下端面を当接させて、インキを転写塗布し捺印可能となる。
【図面の簡単な説明】
【００１３】
【図１】本発明の実施例の断面図である。
【図２】本発明の実施例を回転子が露呈された状態で示す断面図である。
【図３】本発明の実施例の分解斜視図である。
【図４】本発明の実施例における本体の斜視図である。
【図５】本発明の実施例における支持片の半断面図である。
【符号の説明】
【００１４】
１：枠体
２：回転子
３：軸
４：支持片
５：無端印字ベルト
６：回転式の印字体
７：中継部材
８：調節部材
９：固定枠
10：本体
11：外装体
12：マスター印
13：キャップ
14：ガイド片
15：ガイド溝
15A:円周方向の横溝部
15B:縦溝部
16：孔
17：誘導突起
23：固定突起
24：インキパッド
29：窓                                                                          
【図１】
2005297574.tif 000003
【図２】
2005297574.tif 000004
【図３】
2005297574.tif 000005
【図４】
2005297574.tif 000006
【図５】
2005297574.tif 000007